(57)【要約】【課題】  高変倍比で、全ズーム範囲にわたり高い光学性能を有し、かつ環境温度の変化があっても、ピント変動や収差変動の少ないズームレンズを得ることが困難であった。【解決手段】物体側より像側へ順に、正の屈折力の第１レンズ群と、負の屈折力の第２レンズ群と、正の屈折力の第３レンズ群と、２つのレンズ群よりなる後方群を有し、第２レンズ群以降に正の屈折力の樹脂レンズを少なくとも１枚含み、第２レンズ群以降に負の屈折力の樹脂レンズを少なくとも１枚含むズームレンズにおいて、屈折率の温度係数と線膨張率を考慮した上で各樹脂レンズの屈折力を適切に設定した。【選択図】図１
2017219655.tif 000002
【特許請求の範囲】
【請求項１】
物体側より像側へ順に、
正の屈折力の第１レンズ群と、
負の屈折力の第２レンズ群と、
正の屈折力の第３レンズ群と、
２つのレンズ群よりなる後方群を有し、
第２レンズ群以降に正の屈折力の樹脂レンズを少なくとも１枚含み、
第２レンズ群以降に負の屈折力の樹脂レンズを少なくとも１枚含み、
以下の条件式を満足することを特徴とするズームレンズ。
2017219655.tif 000013
ただし、
物体側から第ｉ番目の樹脂レンズをＬＰｉとし、
ｎｉは樹脂レンズＬＰｉのｄ線に対する屈折率、
ｄｎｉ／ｄＴは樹脂レンズＬＰｉの常温近辺における屈折率の温度係数、
αｉは樹脂レンズＬＰｉの線膨張率、
φｉは樹脂レンズＬＰｉの屈折力、
φＷは広角端における全系の屈折力、
β５Ｗは広角端における第５レンズ群の横倍率、
β５Ｔは望遠端における第５レンズ群の横倍率である。
【請求項２】
前記後方群が、物体側から像側へ順に、負の屈折力の第４レンズ群と、正の屈折力の第５レンズ群を有することを特徴とする請求項１に記載のズームレンズ。
【請求項３】
前記第３レンズ群に負の屈折力の樹脂レンズを含み、前記第５レンズ群に正の屈折力の樹脂レンズを含むことを特徴とする請求項１又は請求項２に記載のズームレンズ。
【請求項４】
前記第３レンズ群に正の屈折力の樹脂レンズを含み、前記第４レンズ群に負の屈折力の樹脂レンズを含み、前記第５レンズ群に負の屈折力の樹脂レンズを含むことを特徴とする請求項１乃至請求項３の何れか一項に記載のズームレンズ。
【請求項５】
前記第２レンズ群に負の屈折力の樹脂レンズを含み、前記第３レンズ群に正の屈折力の樹脂レンズを含み、前記第４レンズ群に負の屈折力の樹脂レンズを含み、前記第５レンズ群に正の屈折力の樹脂レンズを含むことを特徴とする請求項１乃至請求項３の何れか一項に記載のズームレンズ。
【発明の詳細な説明】
【技術分野】
【０００１】
本発明は、ズームレンズ及びそれを有する撮像装置に関し、特に、デジタルスチルカメラ、ビデオカメラ、写真用カメラ等の撮影光学系として好適なものである。
【背景技術】
【０００２】
近年、一眼レフカメラ用交換レンズ等に用いる撮影光学系としては、高変倍比（高ズーム比）、大口径比でバックフォーカスが長く、しかも全ズーム範囲にわたり高い光学性能を有するレンズであることが要求されている。それらの要求に応えるレンズの１つとして、物体側に正の屈折力のレンズ群を配置したポジティブリード型のズームレンズが知られている。
【０００３】
ポジティブリード型のズームレンズとして、物体側より像側へ順に、正負正負正の屈折力の５つのレンズ群で構成され、比較的高い変倍比のズームレンズが知られている（特許文献１参照）。
【先行技術文献】
【特許文献】
【０００４】
【特許文献１】特開２０１０−２３７４５３号公報
【発明の概要】
【発明が解決しようとする課題】
【０００５】
近年の高変倍比、大口径比でバックフォーカスが長く、しかも全ズーム範囲にわたり高い光学性能を有するズームレンズには、低コスト化、軽量化、高性能化が求められている。
【０００６】
特許文献１のズームレンズにおいては、高い変倍比で全ズーム範囲にわたり高い光学性能を達成するために、高屈折率のガラスレンズを多く使用しているため、コスト面で不利である。また、比重の大きいガラスレンズを多く使用しているため、重量の増加が避けられない。
【０００７】
光学素子に樹脂やプラスチック等の有機材料を用いることは、低コスト化、軽量化を実現する上で、非常に効果的である。また、有機材料の場合、非球面形状の製作がガラス材に比べ容易なため、高次収差補正による光学性能の向上を低コストで実現することが可能となる。
【０００８】
しかしながら、一般的に樹脂やプラスチック等の有機材料は温度変化による形状変化、屈折率変化が大きく、それらの変化の大きさはガラスと比較して１０倍から１００倍程度である。したがって、収差補正効果を持たせるために有機材料に強いパワーを持たせた光学素子を用いる場合、環境温度の変化に伴うピント位置のずれを軽減することが重要になってくる。環境温度の変化によるピント位置のずれを軽減するためには、環境温度の変化によるバックフォーカス変化量を小さくしておく必要がある。
【０００９】
本発明は、高変倍比で、広角端から望遠端における全ズーム範囲にわたり収差を良く補正し、全ズーム範囲において高い光学性能を有し、かつ環境温度の変化があっても、ピント変動や収差変動の少ないズームレンズを提供することを目的とする。
【課題を解決するための手段】
【００１０】
上記の目的を達成するために、本発明に係るズームレンズは、
物体側より像側へ順に、正の屈折力の第１レンズ群と、負の屈折力の第２レンズ群と、正の屈折力の第３レンズ群と、２つのレンズ群よりなる後方群を有し、第２レンズ群以降に正の屈折力の樹脂レンズを少なくとも１枚含み、第２レンズ群以降に負の屈折力の樹脂レンズを少なくとも１枚含み、以下の条件式を満足することを特徴とする。
2017219655.tif 000003
【００１１】
ただし、物体側から第ｉ番目の樹脂レンズをＬＰｉとし、ｎｉは樹脂レンズＬＰｉのｄ線に対する屈折率、ｄｎｉ／ｄＴは樹脂レンズＬＰｉの常温近辺における屈折率の温度係数、αｉは樹脂レンズＬＰｉの線膨張率、φｉは樹脂レンズＬＰｉの屈折力、φＷは広角端における全系の屈折力、β５Ｗは広角端における第５レンズ群の横倍率、β５Ｔは望遠端における第５レンズ群の横倍率である。
【発明の効果】
【００１２】
本発明によれば、高変倍比で、全ズーム範囲にわたり高い光学性能を有し、かつ環境温度の変化があっても、ピント変動や収差変動の少ないズームレンズが得られる。
【図面の簡単な説明】
【００１３】
【図１】実施例１のズームレンズの広角端における光学系断面図である。
【図２】実施例１のズームレンズの環境温度２０℃での収差図である。
【図３】実施例１のズームレンズの環境温度０℃での収差図である。
【図４】実施例１のズームレンズの環境温度４０℃での収差図である。
【図５】実施例２のズームレンズの広角端における光学系断面図である。
【図６】実施例２のズームレンズの環境温度２０℃での収差図である。
【図７】実施例２のズームレンズの環境温度０℃での収差図である。
【図８】実施例２のズームレンズの環境温度４０℃での収差図である。
【図９】実施例３のズームレンズの広角端における光学系断面図である。
【図１０】実施例３のズームレンズの環境温度２０℃での収差図である。
【図１１】実施例３のズームレンズの環境温度０℃での収差図である。
【図１２】実施例３のズームレンズの環境温度４０℃での収差図である。
【図１３】本発明のズームレンズを備えるカメラ（撮像装置）の要部概略図である。
【発明を実施するための形態】
【００１４】
以下に、本発明における各条件式について説明する。２つ以上のレンズ群に非球面形状を有する樹脂レンズを配置すれば、全ズーム範囲において高い光学性能を有することが、低コストで実現可能となる。ただし、環境温度の変化によるピント位置のずれを軽減するために、環境温度の変化によるバックフォーカスの変化量を小さくしておく必要がある。そのためには、環境温度の変化による全系の屈折力の変化量が小さくなるように、各樹脂レンズの屈折力を設定しなければならない。
【００１５】
物体側から第ｉ番目の樹脂レンズをＬＰｉとし、ｎｉを樹脂レンズＬＰｉのｄ線に対する屈折率、ｄｎｉ／ｄＴを樹脂レンズＬＰｉの常温近辺における屈折率の温度係数、αｉを樹脂レンズＬＰｉの線膨張率とする。また、φｉを樹脂レンズＬＰｉの屈折力、φＷを広角端における全系の屈折力とする。このとき、環境温度の変化ΔＴによる、樹脂レンズＬＰｉの屈折力の変化量Δφｉは、以下の式で与えられる。
2017219655.tif 000004
【００１６】
一般的に樹脂やプラスチック等の有機材料では、屈折率の温度係数ｄｎｉ／ｄＴは負の値であり、線膨張率αｉは正の値である。従って、上記の式の右辺括弧内は全体として負の値となる。環境温度の変化による全系の屈折力の変化量を小さくするためには、２つ以上の符号の異なった屈折力の樹脂レンズを用いることが必要となる。このため、各実施例のズームレンズは、
2017219655.tif 000005
【００１７】
なる条件を満足している。条件式（１）は環境温度の変化によって生じる全系の屈折力の変化量を規定したものであり、各樹脂レンズの屈折力を最適に設定するためのものである。条件式（１）の上限値を上回ると、環境温度の変化によるバックフォーカス変化量が大きくなり過ぎてしまうので良くない。
【００１８】
条件式（２）は各樹脂レンズの屈折力を適切に規定するためのものである。条件式（２）の下限値を下回ると、樹脂レンズの屈折力が小さくなり過ぎてしまい、低次収差の補正効果が十分得られなくなるので良くない。β５Ｗを広角端における第５レンズ群の横倍率、β５Ｔを望遠端における第５レンズ群の横倍率とする。このとき、各実施例のズームレンズは、
2017219655.tif 000006
【００１９】
なる条件を満足している。条件式（３）は第５レンズ群の変倍率に関するものであり、高変倍化を達成するためのものである。条件式（３）の下限値を下回ると、第５レンズ群Ｌ５が分担する変倍作用が小さくなり、高変倍化が困難になる。
【００２０】
次に、本発明の好ましい実施の形態について詳細に説明する。
【００２１】
本発明のズームレンズは、物体側より像側へ順に、正の屈折力（光学的パワー）の第１レンズ群と、負の屈折力の第２レンズ群と、正の屈折力の第３レンズ群と、２つのレンズ群よりなる後方群を有している。ここで、屈折力とは焦点距離の逆数のことである。また、レンズ群とは、単一または複数のレンズより成る集合体であり、変倍（ズーミング）に際して隣接するレンズ群とは独立に移動するものをいう。
【００２２】
各実施例では、第ｉレンズ群Ｌｉと第ｉ＋１レンズ群Ｌｉ＋１との間隔を変えて変倍を行っており、広角端（短焦点距離端）から望遠端（長焦点距離端）への変倍に際して、各レンズ群を物体側へ移動させている。具体的には、広角端に比べて望遠端での第１レンズ群Ｌ１と第２レンズ群Ｌ２との間隔が大きくなるように第１レンズ群Ｌ１および第２レンズ群Ｌ２が移動する。また、第２レンズ群Ｌ２と第３レンズ群Ｌ３との間隔が小さく、第３レンズ群Ｌ３と第４レンズ群Ｌ４との間隔が大きく、第４レンズ群L４と第５レンズ群L５との間隔が小さくなるように、第３、第４、第５レンズ群が移動する。
【００２３】
なお、各実施例において、第３レンズ群Ｌ３と第５レンズ群Ｌ５を一体に物体側へ移動させている。これにより、鏡筒構造の簡素化を図っている。各実施例において、第３レンズ群Ｌ３と第５レンズ群Ｌ５をそれぞれ独立に移動させても良い。これによれば、変倍に際して、非点収差等の軸外収差の補正が容易になる。
【００２４】
各実施例において、無限遠から至近にかけてのフォーカシングは第２レンズ群Ｌ２を物体側へ繰り出すことにより行っている。また、第４レンズ群Ｌ４の一部のレンズ成分Ｌ４ａを光軸とは垂直方向にシフトさせることにより防振を行っている。
【００２５】
次に、各実施例の特徴について、添付の図面に基づいて詳細に説明する。
【００２６】
図１は本発明の実施例１のズームレンズの広角端における光学系断面図である。
【００２７】
図１に示した光学系断面図において、左方が前方（物体側、拡大側）で、右方が後方（像側、縮小側）である。実施例１のズームレンズは、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より成っている。
【００２８】
ＳＰは開口絞りであり、第３レンズ群Ｌ３中に配置されている。ＩＰは像面であり、デジタルスチルカメラやビデオカメラの撮影光学系として使用する際にはＣＣＤセンサやＣＭＯＳセンサ等の固体撮像素子（光電変換素子）の撮像面に相当する感光面が置かれる。
【００２９】
矢印は広角端から望遠端への変倍に際しての各レンズ群の移動軌跡を示している。図２（Ａ）、（Ｂ）は、それぞれ実施例１のズームレンズの環境温度２０℃での広角端、望遠端における収差図である。図３、４は、それぞれ実施例１のズームレンズの環境温度０℃、４０℃での収差図である。環境温度変化後の光学系の性能は、樹脂レンズの曲率半径ｒ、光軸上の面間隔ｄ、ｄ線に対する屈折率ｎｄ、各次数の非球面係数Ａｉを以下の式に従い変化させ、評価を行った。
2017219655.tif 000007
【００３０】
ここで、ｒ´は温度変化後の樹脂レンズの曲率半径、ｄ´は温度変化後の光軸上の面間隔、ｎｄ´は温度変化後のｄ線に対する屈折率、Ａｉ´は温度変化後の各次数の非球面係数を表している。αは樹脂レンズの線膨張率、ｄｎ／ｄＴは樹脂レンズの常温近辺における屈折率の温度係数、ΔＴは環境温度の変化量を表している。また、光軸上の面間隔ｄは、像側の面に対して物体側の面を移動させることで変化させた。
【００３１】
収差図において、ｄ、ｇはｄ線、ｇ線を表している。また、Ｍ、Ｓはｄ線のメリジオナル像面、サジタル像面を表している。ＦｎｏはＦナンバー、ωは半画角である。レンズ断面図、収差図は、それぞれ無限遠に合焦しているときの様子を示している。
【００３２】
実施例１では、第２レンズ群Ｌ２に負の屈折力の樹脂レンズＬＰ１、第３レンズ群Ｌ３に正の屈折力の樹脂レンズＬＰ２、第４レンズ群Ｌ４に負の屈折力の樹脂レンズＬＰ３、第５レンズ群Ｌ５に正の屈折力の樹脂レンズＬＰ４を含んでいる。各樹脂レンズは前面、後面ともに非球面形状になっている。樹脂レンズＬＰ１とＬＰ４においては、広角端にて軸上光線と軸外光線が良く分離されているため、軸外光線に対する収差補正を効果的に行うことが可能となっている。
【００３３】
一方、樹脂レンズＬＰ２とＬＰ３においては、全ズーム範囲にわたり軸上光線の光束が軸外光線の光束より大きくなっているため、軸上光線に対する効果的な収差補正が可能となっている。これにより、実施例１のズームレンズは、高変倍比で全ズーム範囲にわたり高い光学性能を有し、かつ、環境温度の変化によるピント変動と収差変動が十分に抑制されたズームレンズとなっている。
【００３４】
図５は本発明の実施例２のズームレンズの広角端におけるレンズ断面図である。図６（Ａ）、（Ｂ）は、それぞれ実施例２のズームレンズの環境温度２０℃での広角端、望遠端における収差図である。図７、８は、それぞれ実施例２のズームレンズの環境温度０℃、４０℃での収差図である。
【００３５】
実施例２では、第３レンズ群Ｌ３に正の屈折力の樹脂レンズＬＰ１、第４レンズ群Ｌ４に負の屈折力の樹脂レンズＬＰ２、第５レンズ群Ｌ５に負の屈折力の樹脂レンズＬＰ３を含んでいる。樹脂レンズＬＰ１においては、全ズーム範囲にわたり軸上光線の光束が軸外光線の光束より大きくなっているため、軸上光線に対する収差補正を効果的に行うことが可能となっている。
【００３６】
一方、樹脂レンズＬＰ２とＬＰ３においては、広角端にて軸上光線と軸外光線が良く分離されているため、軸外光線に対する効果的な収差補正が可能となっている。これにより、実施例２のズームレンズは、全ズーム範囲にわたり高い光学性能を有し、かつ、環境温度の変化によるピント変動と収差変動が十分に抑制されたズームレンズとなっている。
【００３７】
図９は本発明の実施例３のズームレンズの広角端におけるレンズ断面図である。図１０（Ａ）、（Ｂ）は、それぞれ実施例３のズームレンズの環境温度２０℃での広角端、望遠端における収差図である。図１１、１２は、それぞれ実施例３のズームレンズの環境温度０℃、４０℃での収差図である。
【００３８】
実施例３では、第３レンズ群Ｌ３に負の屈折力の樹脂レンズＬＰ１、第５レンズ群Ｌ５に正の屈折力の樹脂レンズＬＰ２を含んでいる。樹脂レンズＬＰ１においては、全ズーム範囲にわたり軸上光線の光束が軸外光線の光束より大きくなっているため、軸上光線に対する収差補正を効果的に行うことが可能となっている。
【００３９】
一方、樹脂レンズＬＰ２においては、広角端にて軸上光線と軸外光線が良く分離されているため、軸外光線に対する効果的な収差補正が可能となっている。これにより、実施例３のズームレンズは、全ズーム範囲にわたり高い光学性能を有し、かつ、環境温度の変化によるピント変動と収差変動が十分に抑制されたズームレンズとなっている。
【００４０】
以下、実施例１〜３に対応する数値実施例１〜３の具体的な数値データを示す。各実施例の数値データにおいて、ｒは曲率半径、ｄは光軸上の面間隔、ｎｄ、ｖｄは光学材料のｄ線に対する屈折率、アッベ数を表している。また、非球面形状は、Ｘを光軸方向の面頂点からの変位量、ｈを光軸と垂直な方向の光軸からの高さ、ｒを近軸曲率半径、Ｋを円錐定数、Ａ４、Ａ６、Ａ８，・・・を各次数の非球面係数としたとき、次式によって表される。
2017219655.tif 000008
【００４１】
なお、各非球面係数における「ｅ±ｎ」は「×１０±ｎ」を意味している。そして、前述の各条件式と数値実施例における諸数値との関係を表１乃至４に示す。
数値実施例１
単位 mm
面データ
面番号       r        d      nd         vd       有効径
1          ∞       1.50                         62.40
2        126.570    2.00   1.80610    33.3       55.29
3         51.029    9.63   1.49700    81.5       49.89
4       -313.989    0.15                         47.75
5         46.574    5.47   1.60311    60.6       43.00
6        203.470   (可変)                        42.33
7         77.124    1.20   1.91082    35.3       25.32
8         14.889    5.71                         19.95
9        -36.748    0.90   1.83481    42.7       19.37
10         24.964    0.15                         18.52
11         23.747    6.30   1.80518    25.4       18.60
12        -22.637    0.52                         18.03
13*       -19.767    0.85   1.70000    56.0       17.43
14*      1058.136   (可変)                        16.77
15(絞り)    ∞       0.50                         16.05
16*        27.319    2.91   1.53110    55.9       16.90
17*       136.521    2.11                         17.15
18*        43.043    1.11   1.63550    23.9       17.68
19*        30.976    0.20                         17.51
20         24.680    4.65   1.49700    81.5       17.63
21        -36.757   (可変)                        17.56
22        -41.428    0.70   1.71300    53.9       14.63
23       -450.579    1.03   1.80610    33.3       14.59
24        237.410    3.28                         14.56
25        -45.084    1.10   1.83481    42.7       14.57
26        -58.725   (可変)                        14.75
27         25.085    4.93   1.49700    81.5       19.47
28        -49.536    0.20                         19.48
29*      -137.408    5.91   1.53110    55.9       19.34
30*       -16.609    0.20                         19.11
31        -18.390    2.08   1.83481    42.7       18.75
32       -209.358   (可変)                        19.43
像面        ∞   
非球面データ
第13面
K = 0.00000e+000  A 4=-1.71187e-005  A 6= 7.61397e-007  A 8=-1.75792e-008
A10= 2.14417e-010  A12=-1.31439e-012  A14= 3.26122e-015  
第14面
K = 0.00000e+000  A 4=-1.34050e-005  A 6= 6.08500e-007  A 8=-1.11831e-008
A10= 8.99998e-011  A12=-8.75432e-014  A14=-1.49853e-015  
第16面
K = 0.00000e+000  A 4=-1.50822e-005  A 6= 2.18997e-007  A 8=-8.13233e-009
A10= 1.39032e-010  A12=-1.63424e-012  A14= 6.13104e-015  
第17面
K = 0.00000e+000  A 4=-2.14463e-005  A 6= 2.99615e-007  A 8=-1.86468e-009
A10=-2.26394e-011  A12=-2.06772e-013  A14= 1.46553e-015  
第18面
K = 0.00000e+000  A 4=-4.10558e-007  A 6= 5.32203e-007  A 8= 3.78845e-010
A10=-6.31146e-011  A12= 3.92274e-013  A14=-1.02398e-015  
第19面
K = 0.00000e+000  A 4= 1.25738e-005  A 6= 4.74080e-007  A 8=-2.79081e-009
A10= 2.31700e-011  A12=-3.05783e-013  A14= 9.50446e-016  
第29面
K = 0.00000e+000  A 4=-1.84149e-005  A 6= 4.76259e-008  A 8=-1.01073e-010
A10= 4.45368e-012  A12=-6.82727e-015  A14= 3.57211e-017  
第30面
K = 0.00000e+000  A 4= 1.89546e-005  A 6= 5.81065e-008  A 8= 9.63476e-010
A10=-1.30471e-011  A12= 1.30497e-013  A14=-3.69029e-016  
各種データ
ズーム比     10.38 
広角     中間     望遠
焦点距離      18.60    49.08   193.00  
F ナンバー     3.59     4.89     5.88  
画角          36.29    15.55     4.05  
像高          13.66    13.66    13.66  
レンズ全長   145.04   172.07   200.21  
BF            38.23    59.69    74.12  
d 6            2.16    22.94    48.33  
d14           29.01    14.89     2.85  
d21            2.56     4.14     8.95  
d26            7.78     5.11     0.66  
d32           38.23    59.69    74.12  
入射瞳位置    32.69    79.92   245.23  
射出瞳位置   -40.39   -36.34   -32.11  
前側主点位置  46.89   103.91    87.58  
後側主点位置  19.63    10.61  -118.88  
ズームレンズ群データ
群  始面    焦点距離  レンズ構成長  前側主点位置  後側主点位置
1    1      83.61        18.75         7.64         -5.01
2    7     -12.86        15.62         2.54         -8.28
3   15      24.94        11.49         4.50         -4.55
4   22     -39.70         6.11         0.50         -4.37
5   27      55.14        13.32        -2.77        -10.88
単レンズデータ
レンズ  始面  焦点距離
1       1   -107.34
2       3     89.10
3       5     98.85
4       7    -20.45
5       9    -17.69
6      11     15.32
7      13    -27.71
8      16     63.72
9      18   -180.34
10      20     30.48
11      22    -64.03
12      23   -192.76
13      25   -241.35
14      27     34.26
15      29     34.98
16      31    -24.27
数値実施例２
単位 mm
面データ
面番号       r        d      nd         vd       有効径
1          ∞       1.50                         62.40
2        141.103    2.00   1.80610    33.3       55.67
3         58.909    9.05   1.49700    81.5       50.83
4       -279.517    0.17                         49.92
5         50.475    5.86   1.60311    60.6       48.11
6        182.594   (可変)                        47.40
7        120.593    1.20   1.83481    42.7       26.67
8         15.415    6.56                         20.85
9        -40.246    1.98   1.77250    49.6       19.68
10         40.511    0.15                         18.71
11         27.712    6.16   1.80518    25.4       18.68
12        -28.832    0.43                         17.63
13        -23.374    0.85   1.77250    49.6       17.45
14        117.614   (可変)                        16.71
15(絞り)    ∞       0.50                         15.42
16*        21.943    3.87   1.53110    55.9       16.01
17*       -69.158    0.75                         15.97
18         66.924    0.90   1.84666    23.9       15.86
19         19.426    0.15                         15.56
20         19.426    5.43   1.49700    81.5       15.65
21        -24.891   (可変)                        15.70
22        -26.534    0.70   1.72916    54.7       13.76
23         19.720    2.61   1.80518    25.4       13.89
24       -557.711    3.00                         14.18
25*      -198.376    1.93   1.63550    23.9       15.26
26*       532.803   (可変)                        15.89
27         27.632    4.51   1.49700    81.5       18.79
28        -51.851    0.24                         18.80
29        -46.943    3.92   1.58313    59.4       18.77
30        -33.099    0.15                         18.90
31*       -37.571    2.05   1.63550    23.9       18.85
32*      -346.694   (可変)                        19.14
像面        ∞   
非球面データ
第16面
K = 0.00000e+000  A 4=-7.10180e-006  A 6=-9.98860e-008  A 8= 1.79036e-009
A10=-1.67712e-011  A12= 1.00108e-013  
第17面
K = 0.00000e+000  A 4= 1.76723e-005  A 6=-8.86840e-008  A 8= 2.00984e-009
A10=-1.73730e-011  A12= 1.02044e-013  
第25面
K = 0.00000e+000  A 4=-4.69378e-005  A 6= 1.37484e-007  A 8=-1.12028e-009
A10= 5.31911e-011  A12=-4.64775e-013  
第26面
K = 0.00000e+000  A 4=-6.78664e-005  A 6=-3.52746e-008  A 8= 3.00797e-009
A10=-9.16322e-012  A12=-1.07956e-013  
第31面
K = 0.00000e+000  A 4=-1.45679e-005  A 6=-1.56848e-007  A 8= 1.57447e-009
A10=-8.88686e-012  A12= 1.64173e-014  
第32面
K = 0.00000e+000  A 4= 2.64195e-005  A 6=-4.82876e-008  A 8= 3.74924e-010
A10=-2.65891e-013  A12=-5.61696e-015  
各種データ
ズーム比     10.38 
広角     中間     望遠
焦点距離      18.60    49.98   193.00  
F ナンバー     3.60     5.08     5.88  
画角          36.29    15.29     4.05  
像高          13.66    13.66    13.66  
レンズ全長   143.77   172.29   204.37  
BF            38.23    62.40    74.56  
d 6            2.16    23.00    53.75  
d14           28.51    13.64     2.85  
d21            2.50     4.13     5.96  
d26            5.76     2.52     0.64  
d32           38.23    62.40    74.56  
入射瞳位置    33.52    78.22   285.07  
射出瞳位置   -39.57   -34.05   -32.00  
前側主点位置  47.68   102.30   128.50  
後側主点位置  19.63    12.42  -118.44  
ズームレンズ群データ
群  始面    焦点距離  レンズ構成長  前側主点位置  後側主点位置
1    1      90.97        18.58         6.93         -5.57
2    7     -13.01        17.32         3.24         -8.24
3   15      23.37        11.59         3.96         -4.76
4   22     -37.04         8.24         0.68         -5.25
5   27      56.49        10.86         0.19         -6.98
単レンズデータ
レンズ  始面  焦点距離
1       1   -126.83
2       3     98.77
3       5    113.77
4       7    -21.28
5       9    -25.86
6      11     18.45
7      13    -25.18
8      16     31.83
9      18    -32.61
10      20     22.88
11      22    -15.42
12      23     23.70
13      25   -227.23
14      27     36.97
15      29    174.31
16      31    -66.48
数値実施例３
単位 mm
面データ
面番号       r        d      nd         vd       有効径
1          ∞       1.50                         62.40
2        120.134    2.00   1.80610    33.3       54.86
3         47.216    9.76   1.49700    81.5       49.04
4       -396.426    0.18                         46.87
5         45.215    5.40   1.60311    60.6       40.76
6        258.748   (可変)                        40.05
7        162.647    1.20   1.83481    42.7       25.76
8         15.118    5.65                         20.03
9        -37.535    0.90   1.77250    49.6       19.49
10         43.591    0.15                         18.79
11         33.351    5.99   1.80518    25.4       18.77
12        -23.085    0.32                         17.96
13        -20.825    0.85   1.77250    49.6       17.56
14        159.641   (可変)                        16.80
15(絞り)    ∞       0.50                         16.11
16         32.373    3.38   1.48749    70.2       16.93
17        -88.769    0.18                         17.18
18*        33.778    1.39   1.63550    23.9       17.38
19*        28.146    0.15                         17.15
20         29.911    4.04   1.49700    81.5       17.16
21        -44.831   (可変)                        17.02
22        -37.014    0.70   1.71300    53.9       14.36
23       -294.116    1.07   1.80610    33.3       14.35
24        603.359    3.00                         14.34
25        -35.597    1.17   1.83481    42.7       14.36
26        -58.873   (可変)                        14.63
27         31.363    6.25   1.49700    81.5       21.14
28        -25.096    0.15                         21.33
29*      -114.254    5.57   1.53110    55.9       20.81
30*       -19.891    0.15                         20.91
31        -20.465    2.06   1.83481    42.7       20.49
32       -181.579   (可変)                        21.11
像面        ∞   
非球面データ
第18面
K = 0.00000e+000  A 4= 1.00370e-007  A 6= 9.36423e-010  A 8= 1.50466e-010
A10= 8.94392e-013  A12= 1.58339e-015  
第19面
K = 0.00000e+000  A 4= 1.01526e-006  A 6= 2.88174e-008  A 8= 1.56270e-011
A10= 9.01705e-013  A12= 1.09599e-014  
第29面
K = 0.00000e+000  A 4=-3.35405e-005  A 6=-2.74797e-008  A 8=-7.41239e-010
A10= 8.43212e-012  A12=-6.82830e-014  
第30面
K = 0.00000e+000  A 4=-5.16595e-006  A 6=-6.30529e-009  A 8=-7.00266e-011
A10= 1.41189e-012  A12=-2.94316e-014  
各種データ
ズーム比     10.38 
広角     中間     望遠
焦点距離      18.60    49.00   193.00  
F ナンバー     3.49     4.75     5.88  
画角          36.29    15.58     4.05  
像高          13.66    13.66    13.66  
レンズ全長   145.36   170.31   197.80  
BF            39.27    60.90    76.13  
d 6            2.16    21.72    45.58  
d14           28.08    14.32     2.85  
d21            2.50     3.90     8.56  
d26            9.71     5.83     1.04  
d32           39.27    60.90    76.13  
入射瞳位置    32.76    77.17   226.81  
射出瞳位置   -49.28   -39.40   -32.88  
前側主点位置  47.45   102.23    78.10  
後側主点位置  20.67    11.90  -116.87  
ズームレンズ群データ
群  始面    焦点距離  レンズ構成長  前側主点位置  後側主点位置
1    1      80.14        18.84         8.06         -4.69
2    7     -12.70        15.06         2.67         -7.55
3   15      23.71         9.63         3.06         -3.83
4   22     -32.72         5.94         0.94         -3.66
5   27      44.58        14.18        -0.41         -9.34
単レンズデータ
レンズ  始面  焦点距離
1       1    -97.70
2       3     85.52
3       5     89.99
4       7    -20.04
5       9    -25.98
6      11     17.78
7      13    -23.80
8      16     49.11
9      18   -293.78
10      20     36.76
11      22    -59.45
12      23   -245.16
13      25   -110.38
14      27     29.12
15      29     44.44
16      31    -27.79
【００４２】
【表１】
2017219655.tif 000009
【００４３】
【表２】
2017219655.tif 000010
【００４４】
【表３】
2017219655.tif 000011
【００４５】
【表４】
2017219655.tif 000012
【００４６】
次に、本発明のズームレンズを用いたカメラシステムの実施形態について説明する。
【００４７】
図１３は本発明のズームレンズを備えるカメラ（撮像装置）の要部概略図である。
【００４８】
レンズ鏡筒１０には、実施例１、２、３に示したズームレンズ１１が内蔵されている。カメラ本体２０内には、ズームレンズ１１によって取り込まれた光束を上方に反射するミラー２１、ズームレンズ１１によって被写体像が形成される焦点板２２、焦点板２２からの光束を正立像に変換するペンタダハプリズム２３、焦点板２２上に形成された被写体像を観察するための接眼レンズ２４、ズームレンズ１１からの光束を受光するＣＣＤセンサやＣＭＯＳセンサ等の固体撮像素子（光電変換素子）２５等が設けられている。
【００４９】
図１３は観察状態つまり撮影待機状態を表しているが、レリーズボタンを撮影者が操作することにより、ミラー２１が図示の光路中から退避し、固体撮像素子２５上に被写体像が取り込まれる。このように、実施例１〜３に示したズームレンズをカメラに用いることにより、高い光学性能を持つカメラを実現することができる。なお、本発明はミラー２１のないカメラにも同様に適用することができる。
【符号の説明】
【００５０】
Ｌ１  第１レンズ群、Ｌ２  第２レンズ群、Ｌ３  第３レンズ群、Ｌ４  第４レンズ群、
Ｌ４ａ  防振レンズ成分、Ｌ５  第５レンズ群、ＬＰｉ  樹脂レンズ、ＳＰ  絞り、
ＩＰ  像面、ｄ  ｄ線、ｇ  ｇ線、Ｓ  サジタル光線、Ｍ  メリジオナル光線、
Ｆｎｏ  Ｆナンバー、ω  半画角
【図１】
2017219655.tif 000014
【図２】
2017219655.tif 000015
【図３】
2017219655.tif 000016
【図４】
2017219655.tif 000017
【図５】
2017219655.tif 000018
【図６】
2017219655.tif 000019
【図７】
2017219655.tif 000020
【図８】
2017219655.tif 000021
【図９】
2017219655.tif 000022
【図１０】
2017219655.tif 000023
【図１１】
2017219655.tif 000024
【図１２】
2017219655.tif 000025
【図１３】
2017219655.tif 000026